(57)【要約】【課題】木製生地の自然な風合いを活かして見栄えを向上させることができる加飾成形体を得る。【解決手段】木製の被加飾体１２の表面１２Ａには透明層１４として無色の第一透明層１６と有色の第二透明層１８とが設けられ、透明層１４の表面１４Ａにはインク部２２により木目柄の模様が施された加飾層２０が設けられている。第一透明層１６、第二透明層１８及び加飾層２０は、いずれも光透過性を備えているので、加飾成形体１０に当る光は、加飾層２０、第二透明層１８及び第一透明層１６をこの順で透過して木製の被加飾体１２の表面１２Ａに当って反射し、反射した光は、第一透明層１６、第二透明層１８及び加飾層２０をこの順で透過する。このため、透明層１４を介した被加飾体１２の表面１２Ａと加飾層２０のインク部２２との距離感により奥行き感が得られる。【選択図】図１
2011143583.tif 000002
【特許請求の範囲】
【請求項１】
木製の被加飾体と、
前記被加飾体の表面に設けられ、光透過性を備えた透明層と、
前記透明層の表面に設けられ、木目柄の模様が施されると共に光透過性を備えた加飾層と、
を有する加飾成形体。
【請求項２】
前記透明層は、無色の第一透明層と、有色の第二透明層と、を備えている請求項１記載の加飾成形体。
【発明の詳細な説明】
【技術分野】
【０００１】
本発明は、木製の被加飾体の表面側が加飾された加飾成形体に関する。
【背景技術】
【０００２】
加飾成形体においては、基板（被加飾体）の表面側に木目柄模様が印刷された構造が知られている（例えば、特許文献１参照）。このような構造では、例えば、基板の表面に隠蔽用の下塗り塗装部が形成されると共に、その表面に光沢層が形成され、さらその表面に木目柄模様部が形成されている。
【先行技術文献】
【特許文献】
【０００３】
【特許文献１】特公昭６１−２９７８６号公報
【発明の概要】
【発明が解決しようとする課題】
【０００４】
しかしながら、このような構造では、加飾成形体に当る光が下塗り塗装部で反射するため、人工感が生じてしまい、見栄えの点で改善の余地がある。
【０００５】
本発明は、上記事実を考慮して、木製生地の自然な風合いを活かして見栄えを向上させることができる加飾成形体を得ることが目的である。
【課題を解決するための手段】
【０００６】
請求項１に記載する本発明の加飾成形体は、木製の被加飾体と、前記被加飾体の表面に設けられ、光透過性を備えた透明層と、前記透明層の表面に設けられ、木目柄の模様が施されると共に光透過性を備えた加飾層と、を有する。
【０００７】
請求項１に記載する本発明の加飾成形体によれば、木製の被加飾体の表面には透明層が設けられ、透明層の表面には木目柄の模様が施された加飾層が設けられている。ここで、透明層及び加飾層は、いずれも光透過性を備えている。このため、加飾成形体に当る光は、加飾層を透過した後に透明層を透過して木製の被加飾体の表面に当って反射し、反射した光は、透明層を透過した後に加飾層を透過する。これによって、加飾層による木目柄の模様が視認されるだけでなく、被加飾体による自然な風合いが視認されて活かされると共に、透明層を介した被加飾体の表面と加飾層の模様との距離感（遠近感）により奥行き感が得られる。
【０００８】
請求項２に記載する本発明の加飾成形体は、請求項１記載の構成において、前記透明層は、無色の第一透明層と、有色の第二透明層と、を備えている。
【０００９】
請求項２に記載する本発明の加飾成形体によれば、透明層が無色の第一透明層と有色の第二透明層とを備えているので、加飾成形体に当る光は、加飾層を透過した後、第一透明層及び第二透明層を透過して木製の被加飾体の表面に当って反射し、反射した光は、第一透明層及び第二透明層を透過した後、加飾層を透過する。このため、第一透明層及び第二透明層によって奥行き感が得られると共に、有色の第二透明層によって所望の色合いが確保される。
【発明の効果】
【００１０】
以上説明したように、本発明に係る請求項１に記載の加飾成形体によれば、木製生地の自然な風合いを活かして見栄えを向上させることができるという優れた効果を有する。
【００１１】
請求項２に記載の加飾成形体によれば、所望の色合いを確保することで見栄えをさらに向上させることができるという優れた効果を有する。
【図面の簡単な説明】
【００１２】
【図１】本発明の一実施形態に係る加飾成形体の構成を示す断面図である（図２の１−１線に沿った拡大断面図に相当する。）。
【図２】本発明の一実施形態に係る加飾成形体を示す斜視図である。
【図３】加飾成形体が適用可能なウッド部材を備えたステアリングホイールの正面図である。
【発明を実施するための形態】
【００１３】
（実施形態の構成）
本発明の一実施形態に係る加飾成形体について図１及び図２を用いて説明する。
【００１４】
図１には、本発明の一実施形態に係る加飾成形体１０の構成が断面図にて示されている。また、図２には、加飾成形体１０が斜視図にて示されている。
【００１５】
加飾成形体１０は、図２の１−１線に沿った拡大断面図に相当する図１に示されるように、木製の被加飾体１２を備えている。被加飾体１２は、加工性が良好で加工後の物性も良好な木材料により形成されることが好ましいが、意匠性は低いものでよく、安価な天然木を適用することができる。被加飾体１２の形状は、加飾成形体１０の形状と概ね同じ形状（厳密には極僅かに小さい略相似形）に形成されている。また、被加飾体１２の表面１２Ａは、木材素地の生地面とされて木目を視認できる状態とされている。
【００１６】
このような被加飾体１２の表面１２Ａには、光透過性を備えた透明層１４が設けられている。この透明層１４は、被加飾体１２の表面１２Ａ側で光沢（光の反射による表面の輝き、所謂「てかり」）を付与しており、無色の第一透明層１６及び有色の第二透明層１８で構成されている。
【００１７】
第一透明層１６は、被加飾体１２の表面１２Ａ上に被覆された厚膜のクリア層である。第一透明層１６の膜厚は、被加飾体１２の表面１２Ａの木目や色合いをぼかさずに透過させる観点から、３０μｍ〜１５０μｍが好ましく、本実施形態では、被加飾体１２の表面１２Ａにおける微細な凹凸（換言すれば平滑化の精度）を考慮して１００μｍとしている。また、第一透明層１６は、レンズ層としても機能している。すなわち、第一透明層１６によって、被加飾体１２の表面１２Ａの生地木目が虚像として結像されることで前記生地木目が部分的に拡大されたりぼかされたりする構造（レンズ効果が得られる構造）になっている。
【００１８】
第二透明層１８は、第一透明層１６の表面１６Ａ上に被覆されており、本実施形態では、第一透明層１６に比べて膜厚が薄く設定されている。第二透明層１８の色は、被加飾体１２の色を考慮しつつ、高級な天然木を用いた木製品の色合いに合わせて設定されている。このような第二透明層１８が設けられることで、被加飾体１２の表面１２Ａ側に高級な色沢が付与される構造となっている。
【００１９】
第二透明層１８の表面１８Ａ（透明層１４の表面１４Ａ）には、光透過性を備えた加飾層２０が設けられている。加飾層２０は、インク部２２によって木目柄の模様（杢柄要素）が施されている。インク部２２は、部位によって光の透過率が異なっており、薄い部分では光を透過するが、濃い部分では光を透過させない（又は殆ど透過させない）ようになっている。また、インク部２２は、図示しない転写シートを第二透明層１８の表面１８Ａに密着させて加熱することによって第二透明層１８の表面１８Ａに転写されたものであり、一部にパール色等の光輝性顔料が含まれている。なお、例えば、特開２００７−１６８１２１等に開示された公知の転写技術を用いることで、曲面部への転写や曲面部での位置合わせが良好になされる。
【００２０】
また、インク部２２により施された木目柄の模様は、装飾性が高い天然木の杢柄（例えば、バーズアイメープル（鳥眼杢）やフェザー等の高級で美しい紋様）に近似した模様に設定されている。すなわち、木目柄の模様は、天然の杢柄（紋様）が木材の組成上どのように配置されかつ構成されているのかを検討したうえで設定されたものであり、高級な天然木の杢柄として見ても違和感のない杢柄となっている。
【００２１】
インク部２２間の隙間及びインク部２２の表面側には、無色で透明な保護部２４が設けられている。保護部２４は、インク部２２を保護する機能を備えると共に、光沢を付与する機能を備えている。
【００２２】
本実施形態では、インク部２２と保護部２４とで、第二透明層１８の表面１８Ａ（透明層１４の表面１４Ａ）を被覆する加飾層２０が形成されている。また、加飾層２０及び透明層１４（第一透明層１６、第二透明層１８）を介して被加飾体１２の表面１２Ａを視認できるように、加飾層２０及び透明層１４の厚さや光透過率が設定されている。
【００２３】
（実施形態の作用・効果）
次に、上記実施形態の作用及び効果について説明する。
【００２４】
木製の被加飾体１２の表面１２Ａには透明層１４として無色の第一透明層１６と有色の第二透明層１８とが設けられ、透明層１４の表面１４Ａ（第二透明層１８の表面１８Ａ）にはインク部２２により木目柄の模様が施された加飾層２０が設けられている。ここで、第一透明層１６、第二透明層１８及び加飾層２０は、いずれも光透過性を備えているので、加飾成形体１０に当る光の一部（Ｌ３、Ｌ４参照）は、加飾層２０、第二透明層１８及び第一透明層１６をこの順で透過して木製の被加飾体１２の表面１２Ａに当って反射し、反射した光は、第一透明層１６、第二透明層１８及び加飾層２０をこの順で透過する。
【００２５】
これによって、加飾層２０による木目柄の模様が視認されるだけでなく、被加飾体１２による自然な風合い（木目や生地発色）が視認されて活かされると共に、有色の第二透明層１８によって所望の色合いが確保され、さらに透明層１４を介した被加飾体１２の表面１２Ａ（生地木目）と加飾層２０のインク部２２（加飾柄）との距離感（遠近感）により奥行き感が得られる。また、透明層１４（主として厚膜の第一透明層１６）によって、被加飾体１２の表面１２Ａの生地木目が虚像として結像されることで前記生地木目が部分的に拡大されたり、ぼかされたりしている。これにより、前記距離感が部位によって異なるように見える。また、加飾成形体１０は、第一透明層１６、第二透明層１８及び加飾層２０の保護部２４で光沢を出しながら、インク部２２によって光の非透過部分を設けることでアクセントをつけて（単調でない変化を表現して）奥行き感を高めている。
【００２６】
さらに、加飾成形体１０に当る光（Ｌ１〜Ｌ４参照）は、様々な積層位置で反射して視覚（目４０）により捉えられる。すなわち、加飾層２０における保護部２４の表面２４Ａ（トップクリア表層）で反射した光Ｌ１、加飾層２０におけるインク部２２で反射した光Ｌ２、加飾層２０におけるインク部２２を通過して被加飾体１２の表面１２Ａ（生地面）で反射した光Ｌ３、及び、加飾層２０におけるインク部２２を通過しないで被加飾体１２の表面１２Ａ（生地面）で反射した光Ｌ４等の様々な反射光が視覚（目４０）により捉えられる。これらの反射光によって、加飾層２０におけるインク部２２の木目柄の模様（人工の加飾柄）の違和感が緩和（低減）されており、これらの総合的な作用によって奥行きのある本物感が表現されている。
【００２７】
補足説明すると、天然木材においては、切削や研磨によって木材表面に現れる導管や繊維の断面が、見る角度によって異なる発色や陰影を作っており、樹種や部位による特徴的な組織や沈着物質等が独特の見栄えを形成している。そして、それらの見栄えが特に特徴的で意匠的な価値の高いものは、杢と呼ばれる。ここで、自然な発色や木目の流れは天然木材面には一様に見られるが、例えば、木製の被加飾体の表面生地を完全に隠蔽した対比構造では、自然な風合いが活かされず、見栄え（外観品質）が良くない。これに対して、本実施形態に係る加飾成形体１０は、被加飾体１２の表面１２Ａの木目模様を透過させて自然な風合いを活かした見栄えを実現している。すなわち、加飾成形体１０では、被加飾体１２の表面１２Ａの生地の木目や発色によって加飾層２０におけるインク部２２の木目柄の模様（人工の加飾柄）の違和感が緩和（低減）され、言わば前記杢の見え方を再現したような効果が得られる。
【００２８】
以上説明したように、本実施形態に係る加飾成形体１０によれば、木製生地の自然な風合いを活かして見栄え（外観品質）を向上させることができる。
【００２９】
また、本実施形態に係る加飾成形体１０は、安価かつ加工性の良好な天然木を利用できるので、低コスト化が可能なうえ加工も容易である。すなわち、美しい杢を有する天然木材は、希少であって非常に高価なうえに特徴的な模様を残しながら加工するのも難しいが、本実施形態に係る加飾成形体１０では、このような課題を解消することができる。その結果として、貴重な木材資源を乱伐することなく、要求される意匠仕様を満足させる素材の供給が低コストで可能になる。
【００３０】
（実施形態の補足説明）
なお、加飾成形体１０の形状は、図２に示されるような円柱形状に限定されない。例えば、加飾成形体は、図３に示される車両用のステアリングホイール３０において上部及び下部に配設されてリム芯金部３２を被覆する装飾用のウッド部材３４、３６として適用されてもよく、このようなウッド部材３４、３６の形状に形成されてもよい。また、加飾成形体は、ステアリングホイール３０のウッド部材３４、３６や図示しないシフトレバー等の自動車の内装部材だけでなく高級家具や家電、ホテルの内装部材等に適用される種々の木製品に適用されて当該木製品の形状に形成されたものであってもよい。
【００３１】
また、上記実施形態では、図１に示されるように、無色の第一透明層１６が被加飾体１２の表面１２Ａ上に設けられ、有色の第二透明層１８が第一透明層１６の表面１６Ａ上に設けられているが、例えば、有色の第二透明層が被加飾体の表面上に設けられ、無色の第一透明層が第二透明層の表面上に設けられてもよい。
【００３２】
また、上記実施形態では、透明層１４が無色の第一透明層１６と有色の第二透明層１８とで構成されているが、透明層は、被加飾体の種類によっては、無色の透明層のみ又は有色の透明層のみで構成された透明層であってもよい。
【符号の説明】
【００３３】
１０    加飾成形体
１２    被加飾体
１４    透明層
１６    第一透明層
１８    第二透明層
２０    加飾層
【図１】
2011143583.tif 000003
【図２】
2011143583.tif 000004
【図３】
2011143583.tif 000005